(57)【要約】【課題】本考案は、スケジュールボードでありながらカレンダーも供えたカレンダー兼用スケジュールボードを提供する。【解決手段】カレンダー兼用スケジュールボード１０のボード体１２の左側部にはカレンダー１４が取り付けられている。このカレンダー１４は一月単位の日付や曜日等が記載された紙製のマンスリーカレンダー頁１６を１月から１２月までの１２枚を綴じて形成されている。また、マンスリーカレンダー頁１６には上下方向に向って日付２２と曜日２４が記載されると共に曜日２４の横にはスケジュール記入欄２６が形成されている。前記ボード体１２の右側部の上部にはメッセージ欄３０が形成されている。ボード体１２にはフェルトペン３４が着脱可能に取り付けられるペン取付具３２が取り付けられている。ボード本体１２の右半分の下部にはポケット部４０が形成されている。【選択図】図１
0003125708.tif 000002
【実用新案登録請求の範囲】
【請求項１】
板状のボード体と、このボード体の一側部に設けられたカレンダーと、このカレンダーを構成すると共に月名が記載されたマンスリーカレンダー頁と、このマンスリーカレンダー頁に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、を有してなることを特徴とするカレンダー兼用スケジュールボード。
【請求項２】
板状のボード体と、このボード体の一側部に設けられたカレンダーと、このカレンダーを構成すると共に月名が記載されたマンスリーカレンダー頁と、このマンスリーカレンダー頁に上下方向に向って順番に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、前記ボード体の他側部の下部に形成されたポケット部と、を有してなることを特徴とするカレンダー兼用スケジュールボード。
【請求項３】
矩形状に形成された板状のボード体と、このボード体の一側部に設けられたカレンダーと、このカレンダーを構成すると共に月名が記載されたマンスリーカレンダー頁と、このマンスリーカレンダー頁に上下方向に向って順番に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、前記ボード体の他側部の下部に形成されたポケット部と、を有してなることを特徴とするカレンダー兼用スケジュールボード。
【考案の詳細な説明】
【技術分野】
【０００１】
本考案は、スケジュールボードとしてだけではなくカレンダーとしても使用することができるカレンダー兼用スケジュールボードに関する。
【背景技術】
【０００２】
従来からスケジュール等を管理するためにスケジュール等を記入できるスケジュールボードが提案されている。
しかし、従来のスケジュールボードは板状のボード体のみからなり、このボード体にスケジュールやメモ等を記入するだけであった。
しかし、スケジュールを記入する時は日付や曜日等を確認する必要があるため、従来においては別途に設けられたカレンダーを見ながら日付や曜日等を確認しながらスケジュールボードにスケジュール等を記入しているため、煩雑である。
【考案の開示】
【考案が解決しようとする課題】
【０００３】
本考案は、上記事実に鑑みなされたものでありスケジュールボードでありながらカレンダーも供えたカレンダー兼用スケジュールボードを提供するものである。
【課題を解決するための手段】
【０００４】
請求項１の考案は、板状のボード体と、このボード体の一側部に設けられたカレンダーと、このカレンダーを構成すると共に月名が記載されたマンスリーカレンダー頁と、このマンスリーカレンダー頁に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、を有してなることを特徴としている。
請求項２の考案は、板状のボード体と、このボード体の一側部に設けられたカレンダーと、このカレンダーを構成すると共に月名が記載されたマンスリーカレンダー頁と、このマンスリーカレンダー頁に上下方向に向って順番に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、前記ボード体の他側部の下部に形成されたポケット部と、を有してなることを特徴としている。
請求項３の考案は、矩形状に形成された板状のボード体と、このボード体の一側部に設けられたカレンダーと、このカレンダーを構成すると共に月名が記載されたマンスリーカレンダー頁と、このマンスリーカレンダー頁に上下方向に向って順番に記載された日付及び曜日と、前記マンスリーカレンダー頁に前記日付及び曜日に対応して形成されると共にスケジュールを記入できるスケジュール記入欄と、前記ボード体の他側部の上部に形成されると共にメッセジージを記入できるメッセージ欄と、前記ボード体に取り付けられたペン取付具と、このペン取付具に着脱可能に取り付けられたペンと、前記ボード体の他側部の下部に形成されたポケット部と、を有してなることを特徴としている。
【考案の効果】
【０００５】
本考案のカレンダー兼用スケジュールボードは、カレンダーとして使用できると共にカレンダーが設けられているのでスケジュール等を記入する場合に別途に設けたカレンダーを確認することなくスケジュール等を記入できるという優れた効果を有する。
【考案を実施するための最良の形態】
【０００６】
考案を実施するために最良の形態の例として以下のような実施例を示す。
【実施例１】
【０００７】
図１及び図２には本考案のカレンダー兼用スケジュールボードの一実施例が示されている。
図１に示されるように、カレンダー兼用スケジュールボード１０のボード体１２は薄い板体を矩形状にして形成されている。このボード体１２の一側部としての左側部にはカレンダー１４が取り付けられている。
図２に示されるように、このカレンダー１４は一月単位の日付や曜日等が記載された紙製のマンスリーカレンダー頁１６を１月から１２月までの１２枚を綴じて形成されている。
前記マンスリーカレンダー頁１６の上部には月名２０が記載されている。また、マンスリーカレンダー頁１６には上下方向に向って日付２２が順番に記載され、日付２２の横には日付２２に対応して曜日２４が記載されている。また、曜日２４の横には対応してスケジュール等を記入できる５名分のスケジュール記入欄２６が形成されている。
なお、図１に示されるように、この実施例では前記マンスリーカレンダー頁１６の一番表側にはマンスリーカレンダー頁記入例用紙２８が設けられており、このマンスリーカレンダー頁記入例用紙２８には前記マンスリーカレンダー頁１６にスケジュール等を記入する場合の参考例が記載されている。
図１及び図２に示されるように、前記ボード体１２の他側部である右側部の上部にはメッセージ欄３０が形成されている。このメッセージ欄３０の近くのボード体１２にはペン取付具３２が取り付けられている。このペン取付具３２にはフェルトペン３４が着脱可能に取り付けられている。従って、このフェルトペン３４を使用して前記メッセージ欄３０にメッセージ等を自由に記入できるようになっている。なお、前記メッセージ欄３０はフェルトペン３４で文字等を書いても簡単に消すことができるため、何回でもメッセージ等を書くことができるようになっている。
また、前記ボード本体１２の右半分の下部にはポケット部４０が形成されている。このポケット部４０にはレシートや葉書等を簡単に差し込めるようになっている。
なお、前記ボード体１２の上部には紐挿通孔４２，４２が貫通形成されている。従って、紐挿通孔４２，４２に図示しない紐等を挿通することによりカレンダー兼用スケジュールボード１０を壁等に簡単に掛けることができるようになっている。
【０００８】
実施例のカレンダー兼用スケジュールボード１０の作用を説明する。
このカレンダー兼用スケジュールボード１０を使用する場合は、カレンダー兼用スケジュールボード１０を壁等に掛けて、カレンダー１４からマンスリーカレンダー頁記入例用紙２８を取り外す。
従って、年の初はカレンダー１４の一番手前側には１月のマンスリーカレンダー頁１６が現れるため、カレンダーとしての役目を果たすことができる。
また、前記マンスリーカレンダー頁１６の日付２２、曜日２４の横には日付２２、曜日２４に対応してスケジュール記入欄２６が形成されている。このため、別途に設けられたカレンダーの曜日や日付等を見ないでスケジュール記入欄２６にスケジュール等を自由に記入することができるので、煩雑でなく極めて便利である。
また、前記ボード体１２にはメッセージ欄３０が形成されているため、メッセージやメモしておきたい事項がある場合は、ペン取付具３２からフェルトペン３４を取り外してフェルトペン３４で前記メッセージ欄３０にメッセージやメモ等を簡単に記入することができる。
しかも、前記メッセージ欄３０はフェルトペン３４で文字等を書いても簡単に消すことができるため、何回でもメッセージ等を書くことができるので便利である。
また、前記カレンダー兼用スケジュールボード１０にはポケット部４０が形成されているため、買物等で受け取ったレシートや葉書等を簡単に差し込めることができるので便利である。
【０００９】
なお、実施例では前記マンスリーカレンダー頁１６には５名分のスケジュール記入欄２６を形成した例を示したが、マンスリーカレンダー頁１６に記載するスケジュール記入欄２６は５名分に限定されているものでないことは勿論である。
【図面の簡単な説明】
【００１０】
【図１】実施例のカレンダー兼用スケジュールボードの全体正面図である。
【図２】実施例のカレンダー兼用スケジュールボードからマンスリーカレンダー頁記入例用紙を取り外した状態のカレンダー兼用スケジュールボードの正面図である。
【符号の説明】
【００１１】
１０    カレンダー兼用スケジュールボード
１２    ボード体
１４    カレンダー
１６    マンスリーカレンダー頁
２０    月名
２２    日付
２４    曜日
２６    スケジュール記入欄
２８    マンスリーカレンダー頁記入例用紙
３０    メッセージ欄
３２    ペン取付具
３４    フェルトペン
４２    紐挿通孔
【図１】
0003125708.tif 000003
【図２】
0003125708.tif 000004